(57)【要約】【課題】  水栓本体に調節弁を水栓本体の縦方向軸心より偏心した位置に収容し、調節弁と連繋したレバーを水平方向に回転操作することで調節弁の流路の開閉を行なう水栓において、レバーの操作性を向上させる。【解決手段】  調節弁１５には流路を開閉する回転部材２２が装着され、回転部材２２は水平方向の外方に突出してその先端に回転体２４が設けられ、水栓本体１０の外周面にはリング２５が回転自在に装着され、リング２５は回転体２４と向かい合わせて開口孔２６が形成され、この開口孔２６にレバー２８を結合し、レバー２８は回転体２４が回転自在に収容される収容室３０が形成され、レバー２８の水平方向への操作によりリング２５及び回転部材２２を回転させるようにした。【選択図】  図２
2008184812.tif 000002
【特許請求の範囲】
【請求項１】
水栓本体は円筒状で内部には複数の空間部が形成され、この第１空間部には調節弁が水栓本体の縦方向軸心から偏心させて収容され、第２空間部は調節弁で調節された水を供給する通水路とし、この第２空間部の上部先端には吐水管が接続され、前記調節弁と連繋したレバーを水平方向に回転操作することで、吐水管から供給される水の流路を開閉する水栓において、前記調節弁には流路を開閉する回転部材が装着され、回転部材は水平方向の外方に突出してその先端に回転体が設けられ、前記水栓本体の外周面にはリングが回転自在に装着され、リングは回転体と向かい合わせて開口孔が形成され、この開口孔に前記レバーを結合し、レバーは回転体が回転自在に収容される収容室が形成され、レバーの水平方向の操作によりリング及び回転部材を回転させるようにしたことを特徴とする水栓。
【請求項２】
前記回転部材の回転体は球体としたことを特徴とする請求項１記載の水栓。
【請求項３】
前記リングは水栓本体と同一の外径としたことを特徴とする請求項１又は請求項２記載の水栓。
【発明の詳細な説明】
【技術分野】
【０００１】
この発明は、例えば流し台や洗面台のカウンター又は壁面に取付けられる水栓に関するものである。
【背景技術】
【０００２】
流し台や洗面台のカウンター又は壁面に取付けられる水栓として、円筒状の水栓本体の上部に吐水管を接続した構成が周知である。
このような構成として、例えば特許文献１に開示された水栓においては、筒状をなし、流し台のカウンターに固定される水栓本体と、その水栓本体の上部先端に接続された吐水管とを備え、先端に吐出口を備えたホースを水栓本体及び吐水管の内部に収容し、水栓本体の内部に調節弁を収容した水栓において、調節弁を筒状に形成して、その軸線が水栓本体の縦方向軸線に沿うように配置すると共に、調節弁とホースの挿通空間とを併設している。また、調節弁を操作するためのレバーは、水栓本体から水平方向の外方に突出している。水栓本体の周面には突出溝が形成され、レバーは突出溝を貫通して外方に突出している。また、水栓本体の外周面にはこの突出溝と重なり合うようにしてリングが装着され、リングが突出溝を覆い隠すようにしている。従って、レバーを水平方向に回転するとリングも一体に回転し、調節弁により混合水の温度が調節されるものである。
【０００３】
【特許文献１】特開２００６−１２５５１４号公報
【発明の開示】
【発明が解決しようとする課題】
【０００４】
この特許文献１の水栓では、円筒状に形成された水栓本体の径を小径にするため、調節弁は水栓本体の縦方向軸心とは異なる位置に偏心して配置されているので、調節弁と連繋したレバーを水平方向に操作すると、レバーは水栓本体の縦方向軸心とは異なる位置を軸心として回転する。そして、水栓本体にはレバーが水平方向に移動できるように横長の突出溝が形成されている。また、水栓本体の周面に形成された突出溝はレバーの外径より横長の円弧状であるため、突出溝から水栓本体の内部に異物や水が侵入しないように水栓本体にリングを装着し、レバーを回転させるとレバーとリングとが一体に回転するようにしている。この場合、レバーは水栓本体の縦方向軸心とは異なる位置を軸心として回転するため、冷水を供給する場合と混合水を供給する場合とでは、レバーはその位置によりリングから外方への突出寸法が大きく異なることとなり、使用者がレバーの操作を行なううえで違和感を伴うものであった。
【０００５】
この発明は、このような従来の技術に存在する問題点に着目してなされたものであり、その課題は、水栓本体に調節弁を水栓本体の縦方向軸心より偏心した位置に収容し、調節弁と連繋したレバーを水平方向に回転操作することで調節弁の流路の開閉を行なう水栓において、レバーの操作性を向上させることにある。
【課題を解決するための手段】
【０００６】
上記課題を達成するため、請求項１記載の発明では、水栓本体は円筒状で内部には複数の空間部が形成され、この第１空間部には調節弁が水栓本体の縦方向軸心から偏心させて収容され、第２空間部は調節弁で調節された水を供給する通水路とし、この第２空間部の上部先端には吐水管が接続され、前記調節弁と連繋したレバーを水平方向に回転操作することで、吐水管から供給される水の流路を開閉する水栓において、前記調節弁には流路を開閉する回転部材が装着され、回転部材は水平方向の外方に突出してその先端に回転体が設けられ、前記水栓本体の外周面にはリングが回転自在に装着され、リングは回転体と向かい合わせて開口孔が形成され、この開口孔に前記レバーを結合し、レバーは回転体が回転自在に収容される収容室が形成され、レバーの水平方向への操作によりリング及び回転部材を回転させるようにしたものである。
【０００７】
請求項２に記載の発明では請求項１記載の発明において、前記回転部材の回転体は球体としたことを特徴とするものである。
【０００８】
請求項３に記載の発明では請求項１又は請求項２記載の発明において、前記リングは水栓本体と同一の外径としたものである。
【発明の効果】
【０００９】
本発明の請求項１記載の発明では、調節弁が水栓本体の縦方向軸心から偏心して収容されていても、水栓本体と調節弁との互いの縦方向軸線が異なることによる誤差はレバーの収容室で吸収され、レバーはその操作位置によりリングから外方への突出寸法が異なることがなく、使用者は違和感なく操作を行なうことができ、操作性が向上する。また、レバーの位置により水栓の外観形状が異なることがなく、水栓の美観を維持することができる。
【００１０】
請求項２に記載の発明では、請求項１に記載の発明において、回転部材の回転体は球体としたので、レバーに形成された収容部内で円滑に回転し、レバーの水平方向への回転操作を軽快に行なうことができる。
【００１１】
請求項３に記載の発明では、請求項１又は請求項２記載の発明において、リングは水栓本体と同一の外径であり、リングにより水栓の美観を損なうことがなく、美観を維持することができる。
【発明を実施するための最良の形態】
【００１２】
以下、本発明を具体化した実施例を図に基づいて詳細に説明する。
【実施例】
【００１３】
図１に示すように、本発明の水栓Ａは流し台又は洗面台のカウンターＢに取付けられるものであり、略円筒状に形成された水栓本体１０から水平方向外方に突出したレバー２８を水平方向に操作することにより、給水管１６を介して給水源から供給された水を第１供給管１７により浄水器Ｄに供給し、浄水器Ｄにより浄化した後に第２供給管１８により第２空間部１４に供給し、第２空間部１４と連通した吐水管２０から外部へ吐水するようにしたものである。
【００１４】
図１及び図２に示すように、水栓ＡはカウンターＢに穿設された開口孔Ｃに対応するように上部から固定される水栓本体１０と、この水栓本体１０の下部に接続される給水管１６と、水栓本体１０の第１空間部１３に収容される調節弁１５と、この調節弁１５の流路を開閉操作するレバー２８と、調節弁１５で調節された水を浄水器Ｄへ供給する第１供給管１７と、浄水器Ｄで浄化された浄水を水栓本体１０の第２空間部１４へ供給する第２供給管１８と、前記第２空間部１４と連通し浄水を外部に吐水する吐水管２０とを備え、水栓本体１０の外周面にはリング２５が回転自在に装着され、このリング２５に前記レバー２８が結合している。
【００１５】
前記水栓本体１０は縦長の略円筒状に形成され、カウンターＢ下部の収容室Ｅから第１ナット１１によりカウンターＢに固定されている。水栓本体１０の内部空間は隔壁１２により左右に区画されており、その一方には第１空間部１３が形成され、他方には第２空間部１４が形成され、第１空間部１３には前記調節弁１５が収容されている。第１空間部１３の下部には前記給水管１６と第１供給管１７とが接続され、調節弁１５に形成されている水の流路を開閉することで、給水管１６から調節弁１５に供給された水を、第１供給管１７により浄水器Ｄへ供給するようにしている。第２空間部１４には浄水が通過する縦長の通水路が形成されている。第２空間部１４は、その下部には第２供給管１８が接続され、上部には第２ナット１９を介して吐水管２０が接続されている。吐水管２０は水栓本体１０に対し回動可能に連結されている。
【００１６】
このように、縦長の略円筒状に形成された水栓本体１０は、その内部空間を隔壁１２により第１空間部１３と第２空間部１４とに区画し、第１空間部１３には水の流路を開閉する調節弁１５が収容され、第２空間部１４には通水路が形成され、調節弁１５と通水路１４とを左右に併設しているため、水栓本体１０はその径が小径となりコンパクトであり、調節弁１５は略円筒状に形成された水栓本体１０の上下方向の軸心よりも一方に偏心した位置に収容されている。
【００１７】
前記調節弁１５は全体として縦長の略円筒状に形成され、その軸線を水栓本体１０の鉛直方向に沿わせた状態で、すなわちその軸線を水栓本体１０の縦方向軸線に対して平行にした状態で収容固定されている。調節弁１５はその上部に流路を開閉するためのスピンドル２１を備え、このスピンドル２１の上部先端にはスピンドル２１を回転させるための回転部材２２が装着されている。回転部材２２はその外周面に、水平方向に突出した操作軸２３が形成され、この操作軸２３の先端に回転体２４が設けられている。
なお、本実施例の調節弁は、水栓本体から浄水器へ供給される水の流路を開閉するものであるが、例えば湯水の温度を調節する温度調節弁であってもよい。
【００１８】
水栓本体１０の外周面で吐水管２０の下部にはリング２５が回転自在に装着されている。このリング２５は前記回転部材２２と水平方向に向かい合っている。図３に示すように、リング２５はその円周面の一部に前記回転部材２２と向かいあうようにして開口孔２６が形成され、この開口孔２６の内周面には雌ねじ部２７が形成されている。前記レバー２８は一端側の外周面に雄ねじ部２９が形成され、この雄ねじ部２９をリング２５の雌ねじ部２７に螺着することで、リング２５の開口孔２６に隙間なく装着される。レバー２８は横長の棒状に形成され、内部には収容室３０が形成されており、この収容室３０に、球形に形成された回転体２４が回転自在に収容される。回転体２４の外径と収容室３０の内径とは略同一寸法に形成されており、回転体２４は収容室３０の内部で回転自在である。
【００１９】
以上のように、調節弁１５に装着された回転部材２２は、その回転体２４がレバー２８の収容室３０に回転自在に収容されているため、調節弁１５の流路を開閉するためレバー２８を水平方向に回転操作すると、レバー２８と共にリング２５が回転する。この場合、調節弁１５は水栓本体１０の縦方向軸心から偏心した位置に収容されており、リング２５の軸心と調節弁１５の軸心とは異なる位置となるが、回転体２４はレバー２８の収容室３０で回転自在であるため、互いの軸心が異なることによる誤差はこの収容室３０で吸収される。また、レバー２８はリング２５に対し螺着され、隙間なく装着されているため、レバー２８を違和感なく操作することができる。また、レバー２８とリング２５との間に隙間ができず、外部から第１空間部１３に異物や水が侵入することがない。
【００２０】
このように構成される本発明の水栓Ａでは、レバー２８が図３に示す位置にあるときは、給水管１６から第１空間部１３に供給される水は調節弁１５により止水され、吐水管２０から水は吐水されない止水状態である。
【００２１】
次に図４に示すように、レバー２８を図３に示す止水位置から吐水位置に向けて水平方向に回転させると、レバー２８とリング２５とが一体に回転する。この場合、調節弁１５に装着された回転部材２２は、その回転体２４が水平方向に移動するので、調節弁１５の流路が開口し、給水管１６から調節弁１５に供給される水は、調節弁１５を介して第１供給管１７に供給され、続いて浄水器Ｄに供給される。そして、浄水器Ｄで浄化された浄水は第２供給管１８から水栓本体１０の第２空間部１４に供給され、吐水管２０から外部へ吐水される。なお、この場合、調節弁１５は水栓本体１０の縦方向軸心から偏心した位置に収容されており、リング２５と調節弁１５とは互いの軸心が異なるが、回転体２４はレバー２８の収容室３０で回転自在であるため、互いの軸心が異なることによる誤差はこの収容室３０で吸収され、レバー２８を水平方向に回転させることができる。
【００２２】
この発明の水栓は以上のように、水栓本体を小径でコンパクトとするため、調節弁を水栓本体の縦方向軸心から偏心させて収容し、レバーを水平方向に回転操作することで、吐水管から供給される水の流路を開閉する水栓において、調節弁が水栓本体の縦方向軸心から偏心して収容されていても、レバーはその操作位置によりリングから外方への突出寸法が異なることがなく、使用者は違和感なく操作を行なうことができ、操作性が向上する。また、レバーの位置により水栓の外観形状が異なることがなく、水栓の美観を維持することができる。
【図面の簡単な説明】
【００２３】
【図１】本発明の水栓のカウンターへの取付構造を示す説明図である。
【図２】水栓の縦断面図である。
【図３】レバーの作動状態を示す説明図で、止水位置を示す。
【図４】レバーの作動状態を示す説明図で、吐水位置を示す。
【符号の説明】
【００２４】
１０          ：  水栓本体
１３          ：  第１空間部
１４          ：  第２空間部
１５          ：  調節弁
２０          ：  吐水管
２２          ：  回転部材
２４          ：  回転体
２５          ：  リング
２６          ：  開口孔
２８          ：  レバー
３０          ：  収容室
Ａ            ：  水栓
【図１】
2008184812.tif 000003
【図２】
2008184812.tif 000004
【図３】
2008184812.tif 000005
【図４】
2008184812.tif 000006